(57)【要約】【課題】  プラグが挿入された際にＧＮＤ側のコンタクトを＋側のコンタクトより先に接触させ、かつプラグの保持を確実にしつつ、部品点数の増加を回避し、小型化を図る。【解決手段】  ハウジング２にプラグ挿入口１を開口し、その周側に沿ってバネ設置空間３を構成し、その中にコンタクトバネ部材４を配し、プラグ挿入口１の最奥部中央にピン型コンタクト部材５を配設する。コンタクトバネ部材４は、バネ設置空間３の奥側から先端側に延長し、その先端側で奥側に折り返してその折り返した部位を、プラグ挿入口１に挿入されたプラグｐの周側に接触する先端接片部４ｂ１に構成し、更にその先端を奥側に延長し、途中の該当する部位をプラグ挿入口１内に「く」の字状に折曲突出させてプラグｐを係止する係止接片部４ｂ２に構成する。バネ設置空間３にはコンタクトバネ部材４の先端接片部４ｂ１がその中に撓むための撓みスペース３ｂを備える。【選択図】  図４
2006278118.tif 000002
【特許請求の範囲】
【請求項１】
ハウジングにプラグ挿入口を構成し、該プラグ挿入口にその軸方向に沿ったバネ設置空間を付設し、かつ該バネ設置空間にコンタクトバネ部材を設置した接続装置に於いて、
該コンタクトバネ部材を、該バネ設置空間の奥側から先端側に延長し、その先端側で奥側に折り返し、その折り返した部位をプラグ挿入口に挿入されたプラグの周側に接触する先端接片部に構成し、更に該先端接片部から奥側に延長させて該プラグを係止する係止接片部を構成した接続装置。
【請求項２】
前記コンタクトバネ部材の先端接片部の背面側の部位と、該部位と対面する前記バネ設置空間の面との間に、該先端接片部が、前記プラグ挿入口に挿入されたプラグに押された際に、撓み後退可能となる撓みスペースを備えた請求項１の接続装置。
【発明の詳細な説明】
【技術分野】
【０００１】
本発明は、各種の電子機器に於けるＤＣ電源の授受のために使用されるＤＣジャックその他の種々のタイプの接続装置に関するものである。
【背景技術】
【０００２】
ＤＣジャックのＧＮＤ端子側のコンタクトには、挿入されたプラグとの接触の仕方の観点から三種の構成がある。
【０００３】
その１は、プラグ挿入口の入口側側方に基部を固定した上で、該プラグ挿入口の側部に沿って後方に延長し、その中間付近の部位を該プラグ挿入口内に向けて折曲突出させた係止接片部に構成したものであり、この構成の場合は、プラグが該プラグ挿入口に挿入されると、初めに＋側電極のピン型コンタクトが相対的に該プラグの中央孔に進入してその＋電極と電気的に接続し、更に該プラグがプラグ挿入口に最奥部まで進入すると、引き続いてその先端周側に構成してある係止用周溝に該ＧＮＤ側のコンタクトの係止接片部が接触係止し、電気的に接続しつつ機械的に該プラグを保持するに至る。
【０００４】
このタイプのコンタクトの場合は、上記のように、プラグ挿入口に挿入したプラグを係止して機械的に保持できるものではあるが、ＧＮＤ側であるこのコンタクトが、＋側電極であるピン型コンタクトより後から電気的な接続が行われることとなってしまう点で若干の問題がある。
【０００５】
その２は、プラグ挿入口の奥側側方に基部を固定した上で、該プラグ挿入口の側部に沿って入口側に延長し、その先端付近に該プラグ挿入口内に向けて突出させた突出接片を構成したものであり、この構成の場合は、プラグが該プラグ挿入口に挿入されると、すぐにその周側に該ＧＮＤ側のコンタクトの突出接片部が接触し、該プラグのＧＮＤ側と電気的に接続することとなり、更に該プラグが該コンタクトにその周側をスライドさせながら、該プラグ挿入口の最奥まで挿入されると、＋側電極のピン型コンタクトが相対的に該プラグの中央孔に進入してその＋電極と電気的に接続することとなる。
【０００６】
このタイプのコンタクトの場合は、上記のように、プラグをプラグ挿入口に挿入すると、まず初めにＧＮＤ側であるこのコンタクトが該プラグの周側部に接触して電気的接続が行われるものであり、セット側の回路要求に対応することができるが、該プラグを該プラグ挿入口内に保持する機能を具えていない問題がある。
【０００７】
その３は、前記その１のコンタクトと前記その２のコンタクトとをプラグ挿入口の側方に周方向に９０度の角度間隔で配し、かつ各基部側で双方を電気的に接続したものであり、プラグ挿入口にプラグが挿入されると、＋側の電極であるピン型コンタクトより先にＧＮＤ側のコンタクトが該プラグのＧＮＤ側電極である周側部に接触し、かつ最奥まで該プラグが挿入されると、その挿入状態をＧＮＤ側の他のコンタクトで機械的に保持することができることになる。当然、この時点では、＋側の電極であるピン型コンタクトも該プラグの＋側電極である中央孔に進入して電気的に接続することになる。
【０００８】
従ってこのタイプのコンタクトの場合は、機能的には全く問題がないことになるが、プラグ挿入口の周囲に周方向９０度の角度間隔でＧＮＤ側の二つのコンタクトを配することとなるため、部品点数が増加し、かつハウジングが大型化するという問題がある。
【０００９】
特許文献１は、スイッチ付きジャックで、スイッチの接片を駆動する接片駆動用インシュレータのプラグの挿脱に伴う損耗を防止する優れた作用を有するものであるが、その適用例として、前記その１の構成を持ったＤＣジャックが示されている。
【００１０】
【特許文献１】特開２００３−３０３６５０号公報
【発明の開示】
【発明が解決しようとする課題】
【００１１】
本発明は、プラグが挿入された際に、ＧＮＤ側のコンタクトを＋側のコンタクトより先に接触させるというセット側の回路要求に対応し、かつ最奥まで挿入されたプラグを保持するという機能も確保して信頼性の高い２点接触構造に構成しながら、部品点数の増加を回避し、これによって装置の大型化を避け得るようにすることを解決の課題とする。
【課題を解決するための手段】
【００１２】
本発明の１は、ハウジングにプラグ挿入口を構成し、該プラグ挿入口にその軸方向に沿ったバネ設置空間を付設し、かつ該バネ設置空間にコンタクトバネ部材を設置した接続装置に於いて、
該コンタクトバネ部材を、該バネ設置空間の奥側から先端側に延長し、その先端側で奥側に折り返し、その折り返した部位をプラグ挿入口に挿入されたプラグの周側に接触する先端接片部に構成し、更に該先端接片部から奥側に延長させて該プラグを係止する係止接片部を構成した接続装置である。
【００１３】
本発明の２は、本発明の１の接続装置に於いて、記コンタクトバネ部材の先端接片部の背面側の部位と、該部位と対面する前記バネ設置空間の面との間に、該先端接片部が、前記プラグ挿入口に挿入されたプラグに押された際に、撓み後退可能となる撓みスペースを備えたものである。
【発明の効果】
【００１４】
本発明の１の接続装置によれば、プラグ挿入口にプラグを挿入すると、該プラグは、その周側のＧＮＤ側電極が、該プラグ挿入口の先端付近に位置するコンタクトバネ部材の先端接片部に接触し、相互のＧＮＤ側の電気的接続を確保し、更に該プラグを該プラグ挿入口の最奥まで進行させると、＋側電極である、例えば、ピン型コンタクトが、該プラグの対応する＋側電極を構成する中央孔と嵌合し、ＧＮＤ側の接続に続いて＋側の電気的接続も行われることとなる。一方で、以上のように、該プラグを最奥まで進行させると、該コンタクトバネ部材の係止接片部が該プラグの先端周側の係止用周溝に係止し、該プラグをプラグ挿入口内に確実に保持することともなる。
【００１５】
なお最初に該プラグの周側と接触した前記先端接片部のその接触は、その後も維持されていることは云うまでもない。
【００１６】
こうして本発明の１の接続装置によれば、ＧＮＤ側の電気的接続を＋側の電気的接続に先立って行うことができるものであり、その点で、この接続装置を用いるセットの回路要求に対応することができる。また前記係止接片部が前記プラグの先端周側の係止用周溝に係止することになるため、プラグが確実にプラグ挿入口内に保持され、信頼性の高い２点接触構造が実現できているということができる。
【００１７】
またこのような２点接触構造は、先端接片部及び係止接片部を備えた一つのコンタクトバネ部材によって実現できているものであり、それ故、プラグ挿入口の周方向に９０度の角度間隔で配した二つのコンタクトバネ部材で構成した従来例と比べて十分に小型化が図れる。
【００１８】
本発明の２の接続装置によれば、前記コンタクトバネ部材の先端接片部の背面側の部位とこれに対面する前記バネ設置空間の面との間に撓みスペースを備えたため、プラグ挿入口にプラグを挿入し、その先端周側が、該コンタクトバネ部材の先端接片部に接触した際に、該コンタクトバネ部材が該撓みスペース側に撓み後退することが可能となり、該コンタクトバネ部材のバネ作用が良好に発揮できることになる。
【発明を実施するための最良の形態】
【００１９】
本発明の接続装置は、少なくとも、プラグ挿入口を備えたハウジングと、該プラグ挿入口の内面側にその軸方向に沿って配したコンタクトバネ部材とで構成したものであり、該プラグ挿入口の側壁には該コンタクトバネ部材を配するバネ設置空間を構成し、かつ該コンタクトバネ部材は先端接片部と係止接片部とを備えた構成としたものである。
【００２０】
本発明の接続装置は、ＤＣジャックに特に有効に適用できるものであり、例えば、これに設置することを前提に説明すると、前記ハウジングは、当然、前記プラグ挿入口を備える必要があるが、その軸心に沿ってその最奥部から＋側電極であるピン型コンタクトを突出させておく必要がある。
【００２１】
前記コンタクトバネ部材は、前記プラグ挿入口の長さ方向に沿ってその側部に配する部材であり、該プラグ挿入口を構成したハウジングの奥側に固定する基部と、該基部から先端側に延長して折り返す帯状のコンタクト部と、更に該基部から任意の方向に延長する端子部とからなる。前記帯状のコンタクト部の前記折り返しは該プラグ挿入口の内部側に向かって行うものとし、その折り返した部位の該内部側に面する部位を該プラグ挿入口に挿入したプラグの周側に接触する先端接片部とする。また該折り返した帯状のコンタクト部は、更に奥側に延長し、その途中の該当する部位を該プラグ挿入口内にくの字状に折曲突出させて挿入されたプラグの先端周側に構成してある係止用周溝に係止する係止接片部とする。
【００２２】
なお、該コンタクトバネ部材は、コンタクト及び端子として機能するものであるから、当然、導電性部材で構成すべきものであり、更に弾力を利用してプラグと接触し、かつ該プラグを保持するものであるから、相応の弾性を備えた部材である必要もある。
【００２３】
前記バネ設置空間は、前記のように、コンタクトバネ部材を配する空間であり、これをその中に配すべく、前記プラグ挿入口の長さ方向に沿ってその周側壁の一部に構成する。該バネ設置空間は該プラグ挿入口側に開いた構成とし、更にその奥側の部位には、該コンタクトバネ部材の基部をそれに固定した状態で、その帯状のコンタクト部の先端接片部及び係止接片部が該プラグ挿入口内に若干進入し、前記のように、それらが該プラグ挿入口に挿入されたプラグと前記所定の関係で接触し又は係止し得るように、基部固定手段を構成しておくものとする。
【００２４】
また前記バネ設置空間には、前記コンタクトバネ部材の折り返し前の部位の少なくとも先端側の部位の背面と、該部位に対面する該バネ設置空間の面との間に、該コンタクトバネ部材の先端接片部が前記プラグ挿入口に挿入されたプラグに押された際に、その中に撓み後退可能な撓みスペースを備えるものとするのが適当である。
【００２５】
前記のように、本発明装置をＤＣジャックに適用した場合は、前記プラグ挿入口の最奥部中央から先端側に向かって所定の径及び長さのピン型プラグを突出させる。このピン型プラグは、以上のように配置すべく、ハウジングの該当する部位に固定されるべきものであるが、それ以上には特に限定する理由はない。通常、該ピン型コンタクトの基部から任意の方向及び形状の端子部を延長する。
【００２６】
従って本発明の接続装置によれば、プラグ挿入口にプラグを挿入すると、該プラグは、その周側のＧＮＤ側電極が、該プラグ挿入口の先端付近に位置するコンタクトバネ部材の先端接片部に接触し、初めに相互のＧＮＤ側の電気的接続を確保し、更に該プラグを該プラグ挿入口の最奥まで進行させると、＋側電極であるピン型コンタクトが該プラグの＋側電極を構成する中央孔と嵌合して＋側の電気的接続も行われることとなる。他方、このとき、該コンタクトバネ部材の係止接片部が該プラグの先端周側の係止用周溝に係止し、該プラグのプラグ挿入口内への保持が確保されることにもなる。
【００２７】
こうして本発明の接続装置によれば、ＧＮＤ側の電気的接続を＋側の電気的接続に先立って行うことができるものであり、その点で、この接続装置を用いるセットの回路要求に対応するという所期の目的を達成できる。また前記係止接片部が前記プラグの先端周側の係止用周溝に係止することになるため、プラグが確実にプラグ挿入口内に保持されるものでもある。
【００２８】
またこのようなＧＮＤ側のコンタクトの＋側のコンタクトに先立つ電気的接続と、プラグ挿入口に挿入されたプラグの保持との二つの機能は、先端接片部及び係止接片部を備えた一つのコンタクトバネ部材によって実現したものであり、プラグ挿入口の周方向に９０度の角度間隔で配した二つのコンタクトバネ部材で構成した従来例と比べて十分に小型化が図れるものでもある。
【００２９】
また前記バネ設置空間の所定の部位に、前記のように、撓みスペースを配した場合は、プラグ挿入口にプラグを挿入すると、該プラグの先端周側が、該コンタクトバネ部材の先端接片部に接触した際に、該コンタクトバネ部材のその部位が前記撓みスペース側に撓み後退することが可能となり、該コンタクトバネ部材のバネ作用が良好に発揮できることになる。
【実施例】
【００３０】
この実施例は本発明をＤＣジャックに適用した一例である。
この実施例のＤＣジャックは、図１(a)、図２及び図４(a)、(b)に示すように、基本的に、プラグ挿入口１を備えたハウジング２と、該プラグ挿入口１の周側に沿って構成したバネ設置空間３と、該バネ設置空間３に配したコンタクトバネ部材４と、該プラグ挿入口１の最奥部中央からその先端側に向かって延長すべく配したピン型コンタクト部材５とで構成したものである。
【００３１】
前記ハウジング２は、図１(a)〜(f)に示すように、直方体を基本とし、周囲に取付対象のセットへの取付手段等を突出させた絶縁性プラスチックによる部材であり、特に図１(a)に示すように、その正面には前記プラグ挿入口１を開口させ、その内部には、図２、図３及び図４(a)、(b)に示すように、該プラグ挿入口１の周側に沿ってバネ設置空間３を構成し、更に該プラグ挿入口１の最奥部には、前記ピン型コンタクト部材５を取り付ける取付部６が構成したものである。
【００３２】
前記プラグ挿入口１は、先に述べ、図１(a)に示すように、ハウジング２の正面に開口し、更に、図２及び図３(a)、(b)に示すように、その背後側に向かって延長したほぼ円柱状の空間であり、その深さは、図４(b)に示すように、対応するプラグｐの必要な嵌合深さに適合させたものである。
【００３３】
前記バネ設置空間３は、図２、図３及び図４(a)、(b)に示すように、前記プラグ挿入口１の周側にその周側壁を切り欠いて構成したものである。また該バネ設置空間３は、同図に示すように、該プラグ挿入口１の正面開口部直後からハウジング２の背面まで、その長さ方向に沿って切欠構成したものであり、該プラグ挿入口１の最奥部より前方の部位は該プラグ挿入口１側に全て開口状態に構成してある。
【００３４】
また該バネ設置空間３の背面の内、該プラグ挿入口１の半ばより奥側の部位には、図３及び図４(a)、(b)に示すように、前記コンタクトバネ部材４の後記基部４ａの両肩部４ａ１、４ａ１を装入固定する固定用スリット３ａ、３ａを構成し、該プラグ挿入口１の半ばより正面側の部位は、該固定スリット３ａ、３ａを含む面より背面側に空間を広げて、その背面の直前に撓みスペース３ｂを構成しておくものとする。この撓みスペース３ｂは前記コンタクトバネ部材４の後記先端接片部４ｂ１がその中に撓むための余裕空間である。
【００３５】
前記固定用スリット３ａ、３ａの内の一方のそれには、図３に示すように、その中間部よりやや奥側にその側方に開く係止孔３ｃを形成し、前記コンタクトバネ部材４の基部４ａの対応する一方の肩部４ａ１に形成した係止片４ａ２をその係止孔３ｃに係止し得るようにしてある。また他方の固定用スリット３ａには、図４(a)、(b)に示すように、その中間部よりやや奥側で、該係止孔３ｃより僅かに先端側の部位を前記プラグ挿入口１側に拡張して拡張溝３ｄを形成し、前記コンタクトバネ部材４の基部４ａの他方の肩部４ａ１に形成した後記係止突片４ａ３を該拡張溝３ｄの側壁に係止し得るようにしてある。
【００３６】
更に該プラグ挿入口１の最奥部には、前記のように、前記ピン型コンタクト部材５を取り付ける取付部６が構成してある。この取付部６は、図２及び図４(a)、(b)に示すように、前記ハウジング２の背後側に開口し、その部位に、該ピン型コンタクト部材５の後記基部５ｂが装入固定できるようになっている。該基部５ｂが該取付部６中に装入されると、その中で、後記係止突片５ｂ１、５ｂ１がその壁面に突っ張り、該基部５ｂの固定を確実なものとするようになっている。また該取付部６の前端側では、その中央部から後記ピン５ａが突き出し得るように突き出し孔６ａが開口させてある。
【００３７】
前記コンタクトバネ部材４は、図２、図３及び図４(a)、(b)に示すように、前記プラグ挿入口１の周側部に構成したバネ設置空間３に配する部材であり、図５(a)〜(d)に示すように、帯板状の基部４ａと、その両側に張り出した肩部４ａ１、４ａ１と、更に該肩部４ａ１、４ａ１の内の一方の側部やや後方寄りの部位に側方に突出させた係止片４ａ２と、他方の肩部４ａ１の側部で該係止片４ａ２より僅かに前方寄りの部位を後記係止接片部４ｂ２側に斜めに切り起こした係止突片４ａ３と、前記基部４ａの前端から帯状に延長して折り返すコンタクト部４ｂと、該基部４ａの一方の肩部４ａ１から延長した端子部４ｃとで構成したものである。
【００３８】
前記コンタクト部４ｂは、図５(a)〜(d)に示すように、前記基部４ａから延長して折り返し、該基部４ａの前面方向に延長するものであるが、その折り返した部位の外面側の部位、即ち、前記バネ設置空間３にこのコンタクトバネ部材４を配した場合に、前記プラグ挿入口１に面することとなる部位を前記先端接片部４ｂ１とし、更に奥側に延長した部位は、その途中の部位、即ち、前記バネ設置空間３にこのコンタクトバネ部材４を配し、前記プラグ挿入口１にプラグｐを挿入した場合に、そのプラグｐの先端周側の係止用周溝ｇに対面することとなる部位を、該係止用周溝ｇに係止させるべく「く」の字状に折曲突出させて係止接片部４ｂ２とする。なお、前記先端接片部４ｂ１は、前記プラグ挿入口１にプラグｐが挿入されると、そのプラグｐの周側に接触することとなるものである。
【００３９】
前記端子部４ｃは、図５(a)〜(d)に示すように、前記基部４ａの一方の肩部４ａ１、即ち、前記係止突片４ａ３を構成した側の肩部４ａ１の下側部から前記コンタクト部４ｂを該係止突片４ａ３を突き出した側に直角に中間片４ｄを立ち上げ、該中間片４ｄの該係止突片４ａ３側の辺から延長したものである。該端子部４ｃは、前記基部４ａ及びコンタクト部４ｂから離れる方向に斜めに延長し、その先端付近には、取付対象の基板の該当する端子に接触して電気的接続を図るための接触部４ｃ１を構成したものである。
【００４０】
以上のコンタクトバネ部材４は弾力性を備えた導電性金属で構成したものである。
【００４１】
また以上のコンタクトバネ部材４は、前記のように、前記ハウジング２のバネ設置空間３に配設する。該コンタクトバネ部材４は該ハウジング２の背面側から装入する。図２、図３及び図４(a)、(b)に示すように、前記コンタクト部４ｂをプラグ挿入口１側に向け、かつ前記先端接片部４ｂ１側から該バネ設置空間３に装入し、その基部４ａの両側の肩部４ａ１、４ａ１を各々前記固定用スリット３ａ、３ａに装入し、その装入過程で一方の肩部４ａ１の側部に構成した係止片４ａ２を、図３に示すように、前記係止孔３ｃに係止させ、他方の肩部４ａ１に構成した係止突片４ａ３を、図４(a)に示すように、前記拡張溝３ｄの側壁に係止させる。また、このとき、該コンタクト部４ｂの先端は、図２及び図４(a)に示すように、該バネ設置空間３の後部側で前記ピン型コンタクト部材５を取り付ける取付部６側に近接する面に当接し、その係止接片部４ｂ２が必要以上にプラグ挿入口１内に進出しないように規制されることになる。また同時に、図１(a)、(b)、(e)、(f)及び図３に示すように、前記端子部４ｃはハウジング２の背後側からその前斜め下方に突き出した状態に配される。
【００４２】
前記ピン型コンタクト部材５は、図６(a)〜(f)に示すように、ピン５ａと、これを支持するコ字形の基部５ｂと、該基部５ｂに結合片５ｃを介して結合し、前記ピン５ａと同一方向で、該ピン５ａから離れる方向に斜めに延長した端子部５ｄとで構成したものである。また前記基部５ｂの両側には、それぞれ斜めに切り起こした係止突片５ｂ１、５ｂ１が構成してあり、前記端子部５ｄの先端付近には、取付対象の基板の該当する端子に接触して電気的接続を図るための接触部５ｄ１を構成してある。
【００４３】
以上のピン型コンタクト部材５は弾力性を備えた導電性金属で構成したものである。
【００４４】
また以上のピン型コンタクト部材５は、前記ハウジング２の取付部６に取り付けるものである。前記ピン５ａを先にして、該ハウジング２の背後側から該取付部６に装入すると、該ピン５ａは、図１、図２及び図４(a)、(b)に示すように、前記突き出し孔６ａから突き出て前記プラグ挿入口１の軸心に沿って延びた状態になり、前記基部５ｂは該取付部６に装入状態となる。該基部５ｂは、前記係止突片５ｂ１、５ｂ１が該取付部６の壁面に突っ張り状態となって、その固定が確実に維持されるようになる。こうして該基部５ｂが該取付部６に固定されると、前記端子部５ｄは、図１(a)、(b)、(d)、(e)に示すように、前記ハウジング２の背後側からその前斜め下方に突き出した状態に配される。
【００４５】
こうして前記ハウジング２内で、前記コンタクトバネ部材４と前記ピン型コンタクト部材５とは、図７に示すような位置関係に取り付けられたことになる。
【００４６】
従ってこの実施例の接続装置によれば、図４(a)に示すように、前記プラグ挿入口１に前記プラグｐを挿入すると、そのプラグｐは、その周側のＧＮＤ側電極が、該プラグ挿入口１の先端付近に位置するコンタクトバネ部材４の先端接片部４ｂ１に接触し、初めに相互のＧＮＤ側の電気的接続を確保することになる。次いで該プラグｐを該プラグ挿入口１の最奥まで進行させると、図４(b)に示すように、＋側電極であるピン型コンタクト部材５のピン５ａが該プラグｐの＋側電極を構成する中央孔と嵌合し、＋側の電気的接続も行われることとなる。該プラグｐが、こうして最奥まで進行すると、前記コンタクトバネ部材の係止接片部４ｂ２が該プラグｐの先端周側の係止用周溝ｇに係止するに至り、該プラグｐのプラグ挿入口１内への保持が確保されることにもなる。
【００４７】
なお前記コンタクトバネ部材４の先端接片部４ｂ１は、プラグｐが僅かに挿入された時点から最奥まで挿入されるまで常時その周側のＧＮＤ側電極との接触状態を維持するのは云うまでもない。
【００４８】
こうしてこの実施例の接続装置によれば、ＧＮＤ側の電気的接続を＋側の電気的接続に先立って行うことができるものであり、その点で、この接続装置を用いるセットの回路要求に確実に対応することができることになる。また前記係止接片部４ｂ２が前記プラグｐの先端周側の係止用周溝ｇに係止することになるため、該プラグｐが確実にプラグ挿入口１内に保持されるものでもある。
【００４９】
またこのようなＧＮＤ側のコンタクトの＋側のコンタクトに先立つ電気的接続と、プラグ挿入口１に挿入されたプラグｐの保持との二つの機能は、前記先端接片部４ｂ１及び係止接片部４ｂ２を備えた一つのコンタクトバネ部材４によって実現したものであり、プラグ挿入口の周方向に９０度の角度間隔で配した二つのコンタクトバネ部材で構成した従来例と比べて十分に小型化が図れるものでもある。
【００５０】
また前記バネ設置空間３の前方側の前記所定の部位に、前記のように、前記撓みスペース３ｂを形成したため、プラグ挿入口１にプラグｐが挿入され、該プラグｐの先端周側部が、該コンタクトバネ部材４の先端接片部４ｂ１に接触し、これを該撓みスペース３ｂ側に押した場合に、該コンタクトバネ部材４の先端接片部４ｂ１付近は、これに応じて柔軟に該撓みスペース３ｂ側に撓み後退することが可能となり、該コンタクトバネ部材４のバネ作用を良好に発揮させ得ることとなったものである。
【図面の簡単な説明】
【００５１】
【図１】(a)は実施例のＤＣジャックの正面図、(b)は背面側図、(c)は平面図、(d)は右側面図、(e)は底面図、(f)は左側面図、(g)はプラグ挿入口にプラグを挿入した状態の一部切欠斜視図。
【図２】図１(a)のＡ−Ａ線断面図。
【図３】図１(a)のＢ−Ｂ線断面図。
【図４】(a)は実施例のＤＣジャックにプラグを挿入し始めた状態を示す側面断面説明図、(b)は実施例のＤＣジャックにプラグを最後まで挿入した状態を示す側面断面説明図。
【図５】(a)は実施例のコンタクトバネ部材の平面図、(b)は正面図、(c)は右側面図、(d)は斜視図。
【図６】(a)は実施例のピン型コンタクト部材の平面図、(b)は左側面図、(c)は正面図、(d)は右側面図、(e)は底面図、(f)は斜視図。
【図７】実施例のコンタクトバネ部材とピン型コンタクト部材とをハウジングに取り付けた場合の相互の位置関係を示す斜視図。
【符号の説明】
【００５２】
１    プラグ挿入口
２    ハウジング
３    バネ設置空間
３ａ  固定用スリット
３ｂ  撓みスペース
３ｃ  係止孔
３ｄ  拡張溝
４    コンタクトバネ部材
４ａ  コンタクトバネ部材の基部
４ａ１  肩部
４ａ２  係止片
４ａ３  コンタクトバネ部材の係止突片
４ｂ  コンタクト部
４ｂ１  先端接片部
４ｂ２  係止接片部
４ｃ  コンタクトバネ部材の端子部
４ｃ１  コンタクトバネ部材の端子部の接触部
４ｄ  中間片
５    ピン型コンタクト部材
５ａ  ピン
５ｂ  ピン型コンタクト部材の基部
５ｂ１  ピン型コンタクト部材の係止突片
５ｃ  結合片
５ｄ  ピン型コンタクト部材の端子部
５ｄ１  ピン型コンタクト部材の端子部の接触部
６    取付部
６ａ  突き出し孔
ｐ    プラグ
ｇ    係止用周溝
【図１】
2006278118.tif 000003
【図２】
2006278118.tif 000004
【図３】
2006278118.tif 000005
【図４】
2006278118.tif 000006
【図５】
2006278118.tif 000007
【図６】
2006278118.tif 000008
【図７】
2006278118.tif 000009